(57)【要約】【課題】省スペースで設置ができ、尚且つ製造コストを抑えることができる精米販売機を提供することにある。【解決手段】貯蔵タンク５，５内にある玄米を計量装置６により計量し、さらに、この計量された所定量の玄米を精米装置１に順次供給して精米を客室タンク２２に排出する機能と、この計量された所定量の玄米を精米装置１に順次供給した後、該精米装置１で精米せずにそのまま玄米として客室タンク２２に排出する機能とを有し、前記精米装置１は、貯蔵タンク５から送られた玄米を受け入れる精白室１０と、精米度合調整手段によって精白室１０の米出口１３を開閉可能な状態で塞ぐ抵抗板１２と、この抵抗板１２の閉塞時に前記精白室１０内を通過させて玄米を精米しながら米出口１３側に送り出す精米ロール１１と、精米時に発生した糠を米粒から吸引除去する吸引装置１４とから構成し、前記抵抗板１２は、玄米の排出時において精米度合調整手段によって、米出口１３を開放状態に保つことを特徴とする。【選択図】      図２
2004188311.tif 000002
【特許請求の範囲】
【請求項１】
貯蔵タンク（５，５）内にある玄米を計量装置（６）により計量し、さらに、この計量された所定量の玄米を精米装置（１）に順次供給して精米を客室タンク（２２）に排出する機能と、この計量された所定量の玄米を精米装置（１）に順次供給した後、該精米装置（１）で精米せずにそのまま玄米として客室タンク（２２）に排出する機能とを有し、
前記精米装置（１）は、貯蔵タンク（５，５）から送られた玄米を受け入れる精白室（１０）と、精米度合調整手段によって精白室（１０）の米出口（１３）を開閉可能な状態で塞ぐ抵抗板（１２）と、この抵抗板（１２）の閉塞時に前記精白室（１０）内を通過させて玄米を精米しながら米出口（１３）側に送り出す精米ロール（１１）と、精米時に発生した糠を米粒から吸引除去する吸引装置（１４）とから構成し、
前記抵抗板（１２）は、玄米の排出時において精米度合調整手段によって、米出口（１３）を開放状態に保つことを特徴とする精米販売機。
【請求項２】
前記精米装置（１）は、玄米の排出時において抵抗板（１２）を開放し且つ、吸引装置（１４）の起動を停止していることを特徴とする請求項１記載の精米販売機。
【発明の詳細な説明】
【０００１】
【発明の属する技術分野】
本発明は貯蔵タンクに貯蔵した玄米を精米、或いは、そのまま玄米の状態で販売を行なう精米販売機に関する。
【０００２】
【従来の技術】
精米と玄米とをそれぞれ分けて販売する方式の精米販売機としては、利用者は操作パネルから玄米をそのまま購入するか、或いは精米として購入するのかを選択し、さらに、利用客からの操作盤への入力を受けた精米販売機側では、まず精米を販売する場合には、貯蔵タンク内の玄米を精米処理部に搬送して精米を行った後に客室側に排出し、一方、玄米を販売する場合には、前記貯蔵タンクから直接客室側に排出するものであった（特許文献１参照）。
【０００３】
【特許文献１】
特開２０００−２４５２８号公報
【０００４】
【発明が解決しようとする課題】
しかしながら、上述した精米販売機のように、精米と共に玄米をも販売するようなものでは一般的に、石抜装置、第１昇降機、横送りスクリューコンベア、貯蔵タンク、計量装置、第２昇降機より構成されており、そして、貯蔵タンク内の玄米が計量装置、第２昇降機を経由して精米装置へと送られながら精米となり、客室タンクに出来上がった精米を搬送する経路を形作る部品と、貯蔵タンク内の玄米をそのまま客室タンクに搬送する経路を形作る部品とを、それぞれ精米販売機の機械室内に組み込んでおり、このことから部品点数が増えて製造コストが増すばかりか、前記機械室内は限られたスペース内で充分な客室スペースを確保するために狭く構成されており、この限られたスペースの機械室内に異なる別部品をそれぞれ組み込む場合には、メーカ側では大変に苦慮するという問題点があった。
【０００５】
本発明は、省スペースで設置ができ、尚且つ製造コストを抑えることができる精米販売機を提供することにある。
【０００６】
【課題を解決するための手段】
本発明のうち請求項１記載の発明は、貯蔵タンク内にある玄米を計量装置により計量し、さらに、この計量された所定量の玄米を精米装置に順次供給して精米を客室タンクに排出する機能と、この計量された所定量の玄米を精米装置に順次供給した後、精米せずにそのまま玄米として客室タンクに排出する機能とを有し、前記精米装置は、貯蔵タンクから送られた玄米を受け入れる精白室と、精米度合調整手段によって精白室の米出口を開閉可能な状態で塞ぐ抵抗板と、この抵抗板の閉塞時に前記精白室内を通過させて玄米を精米しながら米出口側に送り出す精米ロールと、精米時に発生した糠を米粒から吸引除去する吸引装置とから構成し、前記抵抗板は、玄米の排出時において精米度合調整手段によって、米出口を開放状態に保つことを特徴とする。
【０００７】
ここで、本発明が適用される精米販売機は、精米販売機内の玄米を販売する機能を有するものだけに限らず、利用客が持ち込んで精米販売機に投入した玄米を精米する機能を付加したものにおいても適用されるものである。また、精米度合調整手段としては、例えば、操作盤からの操作によって、バネの付勢力を利用して抵抗板による米出口への押圧力を段階的に調整するもの等が挙げられる。さらに、抵抗板による米出口の開放状態の程度については、精米室内における玄米の通行が円滑に行われるような間隔であればよい。
【０００８】
このように形成すると、利用客から精白米の購入を選択されたなら、精米装置側では、抵抗板を米出口側に押圧して閉塞させる動作を行ない、これにより、貯蔵タンクから送り込まれた玄米を精米室を通過させる際に、精米ロールによって精米工程が行われることになる。一方、利用客から玄米の購入を選択されたなら、精米装置では、精米度合調整手段によって抵抗板を米出口から離した位置に移動して開放状態とし、これにより、貯蔵タンクから送り込まれた玄米に、精白室内で抵抗板によって米出口を塞ぐ圧力が加わらず、結果、精米室で留まることなく、そのまま客室タンクに排出される手順をとる。
【０００９】
本発明のうち請求項２記載の発明では、前記精米装置は、玄米の排出時において吸引装置の起動を停止しているので、玄米が精米装置を通過する際に、吸引装置からの吸引力を受けることがないので、精白室内を通過する玄米は、吸引力で除糠アミ内面に吸着される作用を受けて停滞することなく、スムーズに米出口へと移送され、米粒の表面に糠がしっかりと付着したままで客室タンクに玄米の排出がなされる。
【００１０】
ここで、吸引装置の設置位置については、精米ロールを基準としてどの位置に設定してあってもよいが、精米時において玄米表面より擦り取られた糠が落下するために、望ましくは前記精米ロールの下部位置に設置してあることが望ましい。
【００１１】
【発明の実施の形態】
本発明の精米販売機は図１に示すように、建屋Ｔを機械室Ｍと客室Ｈに仕切るもので、まず前記機械室Ｍには、石抜装置２、第１昇降機３、横送りスクリューコンベア４、貯蔵タンク５、計量装置６、第２昇降機７、そして精米装置１をそれぞれ備えている。一方、客室Ｈには操作盤２１と客室タンク２２を備えている。
【００１２】
石抜装置２は、石抜きされてない玄米を投入するホッパー５０の下方に、傾斜した状態で揺動する選別板５１を有し、この選別板５１の下方に石抜きファン５２を内蔵した風洞部を備えている。ホッパー５０から選別板５１上に落下した玄米は、選別板５１の揺動運動と石抜きファン５２の風を受けて玄米と石くずに分離されて、選別した玄米のみを選別板５１の下方に流下して、第１昇降機３の下側の投入口に排出される。
【００１３】
第１昇降機３は上下のプーリー間に平ベルトを掛け渡し、その平ベルトに多数のバケット５３を取り付けたもので、バケット５３に玄米を取り込んで引き上げ、横送りスクリューコンベア４の投入口に排出する。
【００１４】
横送りスクリューコンベア４は、玄米の送り方向に沿って２つの落下口を、間隔を開けて設け、モータやソレノイドで開閉するシャッター５４を手前側の落下口にのみ設けてあり、シャッター５４を開いた場合には、手前側の貯蔵タンク５に玄米を落下させ、一方、シャッター５４を閉じた場合には、後方の貯蔵タンク５に玄米を落下させる。
【００１５】
貯蔵タンク５は、玄米の銘柄別に２つ設けている。そして、各貯蔵タンク５，５の下部は、出口に向かって口径が狭まっており、玄米の残量を検出する残量センサが取り付けてある。また残量センサの取付位置は、玄米の残量が少なくなった場合でも、一回の購入操作で販売できる最大量を確保できる位置、即ち、千円札をお金投入手段３６が上限値の枚数を受け付けた場合の上限販売量以上の位置とする。そして残量センサとしては例えば、静電容量の変化を検出するタイプを用いる。貯蔵タンク５，５の出口には、開度の異なる大小の計量シャッター５５，５６を設けてあり、各計量シャッター５５，５６の開閉によって、計量装置６に所望量の玄米を供給することになる。
【００１６】
計量装置６は、計量ホッパー５７の下にロードセル５８を設け、このロードセル５８から操作盤２１内の制御装置に即座に重量信号を出力し、所望の重量になるように前記大・小シャッターを開閉操作する。また、計量ホッパー５７の出口に払い出しシャッターを設け、玄米の計量中には払い出しシャッターを閉じ、計量終了後には開いて計量ホッパー５７から玄米を第２昇降機７に投入する。
【００１７】
第２昇降機７は、前述の第１昇降機３とほぼ同じ構造をなすものであるから、その詳細な構成説明については割愛するが、バケット５３により持ち上げた玄米を精米装置１の精米タンク８に送り込むものである。
【００１８】
次に、本精米販売機の主要部となる精米装置１の構成は図２に示すように、まず利用客が精白米の購入を選択している場合、精米タンク８の出口Ｅに通じる円筒形金網からなる精白室１０で精米ロール１１を回転させると共に、米出口１３を抵抗板１２で加圧しながら押圧しているので、玄米は精白室１０内で摩擦を受けながら前方に送られ、この摩擦によって次第に糠が擦り取られ、該糠が精白室１０から落下する。さらに精白米は、精白室１０の米出口１３から排出されて客室タンク２２に落下するものであるが、米出口１３は精白米の製造時にのみ抵抗板１２によって塞がれる制御がなされており、この場合には、精白室１０内に精米タンク８から順次供給される玄米が精米ロール１１の回転と共に押し込まれ、出来上がった精白米によって、抵抗板１２を押し出して米出口１３を開いていく。また、抵抗板１２が米出口１３を塞ぐ力をバネ１５の弾性によって変更可能に設け、後述で詳しく説明するが、利用客が操作盤２１において押したいずれかの精白度スイッチ３７に応じて、抵抗モータ１６が駆動してバネ１５の圧縮度合いを変えて精白度を調整する。
尚、精米タンク８の下部には玄米検出センサ９を設けて、この玄米検出センサ９が玄米を検出した場合には、精米ロール１１を回転させて精米し、一方検出しない場合には、この精米ロール１１の回転を停止する制御がなされる。
【００１９】
一方、利用者が操作盤２１において、玄米の購入を選択している場合には、前記抵抗板１２を米出口１３から離して開放状態とし、さらに、精白室１０内に精米タンク８から順次供給される玄米が精米ロール１１の回転と共に押し込まれた際に、そのまま前記玄米が排出されて客室タンク２２に落下することになる。
【００２０】
上述した精米装置について、以下にさらに詳細に説明する。
本精米装置１は、精米タンク出口Ｅに精白室１０を横向きに連通して設け、精白室１０内に精米ロール１１を回転可能に設ける。そして、精白室１０の周壁を金網状の除糠アミ４９によって形成し、剥がした糠を除糠アミ４９から糠用ファン（図１参照。）４６の作用で吸引し、精白室１０の前方には精白米出口室１７を設け、さらに、この精白米出口室１７の下方の排出シュート１８を客室タンク２２に向けて傾斜してある。また、精白度の調整及び玄米を排出するために、精白室１０の米出口１３の近傍にアーム１９をその中央部を支点として揺動可能に支持し、このアーム１９の一端部を精白度合調整手段としての押圧手段２０で押圧・解除可能に設け、アーム１９の他端部に備わる抵抗板１２が、その押圧及び解除を利用して精白室１０の米出口１３を開閉可能に設けてある。
【００２１】
そして押圧手段２０は、バネ１５の圧縮度合いを変更して米出口１３を開閉するもので、精白室１０の外側に抵抗モータ１６を配し、この抵抗モータ１６にネジ軸２３を直結し、ネジ軸２３にねじ込んだナット２４をその周方向に回転不能に保持することによって、ネジ軸２３の正転又は逆転に伴ってナット２４を前進・後退可能に設け、ネジ軸２３に通したバネ１５をナット２４とアーム１９の一端部との間に介在するものである。
従って、バネ１５の圧縮度合いの変更は、精白度スイッチを押す操作信号を受けた制御装置が抵抗モータ１６を回転して、ネジ軸２３の回転に伴ってナット２４を前進・後退することによって行われる。そして上述の各制御の為に、ネジ軸２３の端部に凸部２６を設けると共に、凸部２６を検出するセンサ２７を該凸部２６の周囲に設け、そのセンサ２７から得られる情報に基づいて抵抗モータ１６の回転回数を制御する。
【００２２】
また、バネ１５の圧縮度合いの最小、最大を決定する為に、ナット２４に被検出物２８を突出し、リミットスイッチからなる後進限スイッチ４４、前退限スイッチ４５を前後に対向して被検出物２８の移動範囲を規制してある。バネ１５の圧縮度合いが最小の場合は、バネ１５が全く伸縮することなく、ナット２４が後退限の位置にあり、アーム１９の一端部に対するバネ１５の押圧力が解除されて抵抗板１２を開いて、抵抗板１２と米出口１３との間に隙間を形成し、この隙間から玄米をそのまま排出する。そして、この後退限の位置を原点として、ナット２４を前進させることによって、バネ１５の圧縮度合い、ひいては抵抗板１２が米出口１３を塞ぐ方向にかかる押圧力を増大し、その押圧力に応じて精白度合いが決定する。
【００２３】
操作盤２１は図３に示すように、前面に操作パネル２９を有し、図４に示すように裏面に各種設定手段などを有し、図５に示すように内部に制御装置を有する。そしてまず操作パネル２９は、営業中、売切れ、計量中、精米中と記載した表示灯（ランプ）３０，３１，３２，３３、及びＬＥＤの料金表示灯（紙幣枚数表示灯）３４を有し、また、ボタン式スイッチとして、玄米の銘柄を指定する玄米銘柄選択スイッチ６０、玄米選択スイッチ３５、お金投入手段３６、精白度スイッチ３７を有する。また、客の操作手順に従って、（１）米の品種を選ぶ、（２）お金を入れる、（３）白さを選ぶとスタートします、と明記し、添え書きとして、白さを選ばないとしばらくしてから標準でスタートします、と明記しておく。さらに精白度スイッチ３７は、精米するための、上白（標準以上）、標準、７ぶつき（標準以下）と、精米しないための玄米選択スイッチ３５との四種類が配置してある。また、お金投入手段３６として紙幣選別機を用い、投入された紙幣のうち千円札のみを受け付けると共に、千円札以外の紙幣を排出することになる。
【００２４】
また、操作盤２１の裏面は図４に示すように、精米販売機１を自動又は手動で運転する切換スイッチ４７、計量装置６への玄米の供給から精米までを手動で運転する第１手動運転スイッチ３８、石抜装置２から貯蔵タンク５への供給までを手動で運転する第２手動運転スイッチ３９を有する。また、デジタルスイッチとして、精白度を設定する精白度設定手段４０、お金投入手段３６が受け付ける枚数の上限値を設定する受付枚数設定手段４１、千円に対する玄米の販売重量を設定する販売重量設定手段４２を有し、ＬＥＤを用いた銘柄毎の売上カウンター４３を有する。
【００２５】
制御装置は図５に示すようにコンピュータ制御をするもので、入出力インターフェース、コントローラ（ＣＰＵ、メモリ、タイマー等を用いたもの）からなる。そして、お金投入手段３６、各種センサなどからなる入力装置の信号を取り込み、予めプログラムされた処理手順に従って、各種モータや表示灯からなる出力装置に起動・停止信号や表示信号を出力する。またタイマーは、紙幣選別機が千円札を受け付ける毎に猶予時間のカウントを開始するものである。
【００２６】
またタイマーは、紙幣選別機が千円札を受け付ける毎に猶予時間のカウントを開始するものである。
【００２７】
次に、上述した操作盤２１からの操作に伴う動作説明を行なう。
まず、本精米販売機が稼働中であるならば、操作パネル２９上の営業中の表示灯３０が点灯し、紙幣識別機の電源がＯＦＦの状態で、２つの貯蔵タンク５，５のうち何れかの残量センサからの出力信号が玄米が足りないことを示すＯＦＦ信号であるか否か判定する。ここで、ＯＦＦ信号が少なくとも１つから出力された場合は、該当する残量センサに対応する売切れランプ３１を点灯し、該当する銘柄の玄米銘柄選択スイッチ６０を押しても、その押し込み操作信号を無効なものとして取り扱い、次の判定に移る。またＯＦＦでない場合、つまり、両方の貯蔵タンク５，５とも玄米が足りていることを示すＯＮ信号である場合も、次の判定に移る。その判定は、両残量センサからの出力信号がＯＦＦ信号であるか否かの判定である。また両方がＯＦＦの場合は、両方の売切れランプ３１，３１を点灯し、さらに営業中表示灯３０を消灯し、処理を終了する。一方、両方がＯＦＦでない場合は、消灯している売切れランプ（販売中を意味する）３１に対応した銘柄の玄米銘柄選択スイッチ６０を客が押したときに、その押し込み操作信号を受け付ける状態、いわゆる客待ちの状態となっている。
【００２８】
そして、客が操作パネル２９上の玄米銘柄選択スイッチ６０を押し込むと、押し込んだ玄米銘柄選択スイッチ６０を点灯し、紙幣選別機の電源がＯＮしてお金の投入を受け付ける状態となり、紙幣枚数表示灯が０を表示する。次に、千円札を投入すると、紙幣枚数表示灯が１を表示し、タイマーがカウントを開始すると共に、全ての精白度スイッチ３７及び玄米選択スイッチ３５を点滅して、当該精白度スイッチ３７及び玄米選択スイッチ３５の押し込み操作を受け付ける状態とする。
【００２９】
そしてタイマーの猶予時間が満了する前に、千円札をさらに投入すると、紙幣枚数表示灯が投入した枚数を表示し、前記タイマーが猶予時間のカウントを改めて開始し、投入枚数が上限になったか否かの判定に移る。ここで投入枚数が上限値になった場合は、紙幣選別機の電源をＯＦＦとし、以後、千円札を受け付けないようにし、タイマーの猶予時間が満了したか否かの判定に移る。また、投入枚数が上限値に達していない場合も、タイマーの猶予時間が満了したか否かの判定に移る。
【００３０】
またタイマーの猶予時間が満了してない場合は、所望の精白度スイッチ３７を押すと、押した精白度スイッチ３７が点灯し、他の精白度スイッチ３７と玄米選択スイッチ３５が消灯する。また、紙幣選別機の電源がＯＦＦとなり、押した精白度スイッチ３７に対応する精白度となるように、後進限スイッチ４４位置より抵抗モータ１６を回転させて抵抗板１２が米出口１３を塞ぐ力を変え、第２昇降機７のモータの電源をＯＮにする。一方、タイマーの猶予時間が満了した場合は、紙幣選別機の電源をＯＦＦし、同様に、後進退位置より抵抗モータ１６を回転させて標準の精白度スイッチ３７に対応した精白度となるように抵抗板１２が米出口１３を塞ぐ力を変え、標準の精白度スイッチ３７を点灯し、他の精白度スイッチ３７及び玄米選択スイッチ３５を消灯し、第２昇降機７のモータの電源をＯＮする。
【００３１】
次に、制御装置では、投入金額に見合った玄米の販売重量を、千円札の投入枚数と設定値である単位重量を掛け算して算出する。その後、始めに押した銘柄の玄米を蓄えた貯蔵タンク５，５の計量シャッター５５，５６を開け、計量中の表示灯３２を点灯し、さらに、計量装置６に玄米が販売重量まで溜まったか否かの判定に移る。ここで達しない場合には、再度、同じ判定に戻る。一方、販売重量に達した場合は、開いていた計量シャッター５５，５６を閉じる。
【００３２】
続いて、閉じた計量シャッター５５，５６の貯蔵タンク５，５の残量センサがＯＦＦか否かの判定に移る。ＯＦＦの場合は、玄米の量が一回の購入操作で販売できる最大量よりも不足したものとして、精米処理の終了後、該当する売切れランプ３１を点灯して処理を終了する。一方、残量センサがＯＦＦでない場合は、精米処理を行った後に処理を終了する。
尚、精米処理の終了後とは、精米終了直後から、客が客室タンク２２に溜まった精米を袋に詰め直す作業が終わるまでの多少の幅のある時間を意味する。
【００３３】
また精米処理の制御においては、計量装置６の払い出しシャッターを開き、この計量装置６の重量が０ｋｇになったか否かの判定に移る。なお、払い出しシャッターを開くと、第２昇降機７によって玄米が引き上げられて、精米装置１に供給される。ここで０ｋｇになってない場合は、０ｋｇになるまで判定を繰り返す。そして０ｋｇになった場合は、払い出しシャッターを閉じ、精米装置１の玄米検出センサ９がＯＮとなったか否かの判定に移る。ここでＯＮしない場合は、この判定を繰り返し、ＯＮした場合は、モータの電源をＯＮして精米装置１の精米ロール１１及び除糠ファン４６を回転させ、計量中の表示灯３２を消灯し、精米中の表示灯３３を点灯する。続いて、精米装置１の玄米検出センサ９がＯＦＦになったか否かの判定に移り、ＯＦＦでない場合はこの判定を繰り返す。ＯＦＦになった場合は、精米ロール１１及び除糠ファン４６のモータの電源をＯＦＦにして精米装置１を止め、第２昇降機７のモータをＯＦＦにし、抵抗モータ１６も後進限スイッチ４４がＯＮするまで回転させて、抵抗板１２を初期位置まで戻す。また操作パネル２９上の精米中の表示灯３３、精白度スイッチ３７、玄米銘柄選択スイッチ６０及び料金表示灯３４を全て消灯する。
【００３４】
上記説明では、精米を行なうことを前提として説明したが、本精米販売機では玄米を得るために、玄米銘柄スイッチ６０を押し込み、千円札を投入後、玄米選択スイッチ３５が押し込まれた場合には、精米の選択がなされた場合と異なる制御として、精米ロール１１と第２昇降機７のモータの電源をＯＮとし、さらに、抵抗モータ１６を回転させずに抵抗板１２を開放位置に保つことで、米出口１３を精白室出口室１７に向けて開放した状態に保持すると共に、除糠ファン４６の駆動を停止状態に保持し、これにより、貯蔵タンク５，５より計量装置６、第２昇降機７を経由して、精米装置１の精白室１０に供給される玄米が、抵抗板１２と米出口１３との隙間からそのまま客室タンク２２に精白室１０内に玄米が停滞することなく玄米がスムーズに排出されることとなる。
【００３５】
【発明の効果】
本発明のうち請求項１記載の発明によれば、精米装置の米出口を押圧する抵抗板の圧縮度合いを変えて、米出口を開放状態となるように制御することで、精米装置内に玄米を通過させながらも、精米せずに玄米をそのまま排出できるように形成しているので、部品点数及び設置スペースの減少が図られ、この結果、製造コストの削減が見込めることになる。
【００３６】
本発明のうち請求項２記載の発明によれば、請求項１記載の発明の効果に加えて、吸引装置の起動停止によって、精白室内を通過する玄米は吸引力で除糠アミ内面に吸着される作用を受けて停滞することなく、スムーズに米出口へと移送され、この結果、吸引装置を起動する場合に比べて玄米の表面に付着する糠の離脱が一段と防がれ、高品質の玄米を提供できる。
【図面の簡単な説明】
【図１】本発明の精米販売機を示す正面図である。
【図２】図１中Ａを拡大して示す縦断面図である。
【図３】本発明の精米販売機の操作盤の操作パネルを示す正面図である。
【図４】操作盤の裏面を示す背面図である。
【図５】本発明の精米販売機の制御装置、及び入出力装置を示すブロック図である。
【符号の説明】
１  精米装置
５  貯蔵タンク
６  計量装置
１０  精白室
１１  精米ロール
１２  抵抗板
１３  米出口
１４  吸引装置
２２  客室タンク
【図１】
2004188311.tif 000003
【図２】
2004188311.tif 000004
【図３】
2004188311.tif 000005
【図４】
2004188311.tif 000006
【図５】
2004188311.tif 000007